(57)【要約】【課題】簡単に組立てが出来、組立て後は外れ難くい梱包装置を提供すること目的とする。【解決手段】仕切り板１８の切り欠き２１の上端の一方に面取り２３を有する突起部２４が形成され、上端の他方に円弧形状２５が形成されているため、簡単に互いに組合わせることができる。さらに、前記切り欠き２１下方の前記円弧形状２５側に面取り２６が形成された切り欠き２２と前記突起部２４が係止する事で仕切り板１８と仕切り板１９とが外れ難くなる。組合わされた仕切り板１８，１９は方形状の格子状空間２０を形成し、梱包箱本体１に配置され複数の収納スペースを形成し物品を互に接触させる事なく収納する。【選択図】      図５
2004299772.tif 000002
【特許請求の範囲】
【請求項１】
中央部から上端に向って形成された第一の切り欠き部と、この第一の切り欠き部の下方に形成された第二の切り欠き部とを備えた複数の仕切り板を互いの切り欠き部が組合わされる状態で縦横に組合わせることにより、物品を収納する為の格子状空間を形成する梱包装置であって、
前記第一の切り欠き部には、上端の一方に面取りを有する突起部を備え、他方の上端を円弧形状に形成し、
前記第二の切り欠き部には、前記第一の切り欠き部の前記円弧形状側に面取りを形成したことを特徴とする梱包装置。
【請求項２】
第一のフラップに形成された差込用のスリットに第二のフラップの先端を差込んで両フラップを固定する様にした梱包装置であって、
前記第一のフラップの先端部には、前記差込用のスリットに交わるように、この差込用スリットより短いスリットが形成されており、
前記第二のフラップの先端部には、前記差込用のスリットの一端部に係止する位置に一部が円弧形状で形成された抜け防止用の切り欠きが形成されており、
且つ、前記差込用のスリットの他端部の係止位置には角部が形成されている、
ことを特徴とする梱包装置。
【発明の詳細な説明】
【０００１】
【発明の属する技術分野】
本発明は、物品を収納するための梱包装置に関する。
【０００２】
【従来の技術】
従来、梱包箱の様な梱包装置においては、内部に縦横に交差する仕切り板を配置し空間に物品を収納する様になっている。これら仕切り板を交差させる為に仕切り板には、夫々切り欠きが形成されているもので、この切り欠き構造は片側のみに形成されたものが知られている（例えば、特許文献１参照。）。この仕切り板を互いに切り欠き部が組合わされる状態で縦横に組合わせ梱包箱に収めて使用する様になっている。
【０００３】
【特許文献１】
特開２００１−３５４２３５号公報
【０００４】
【発明が解決しようとする課題】
しかしながら、片側のみの切り欠き構造の仕切り板を用いた場合は互いに切り欠き部が組合わされる状態で縦横に組合わせても組立て時に外れやすく、また組立てた後、縦横に組合わされた状態で潰し込んで保管する際や輸送する際に切り欠きどうしが外れてしまう欠点があった。
【０００５】
本発明は、このような従来の問題点を考慮してなされたのもであり、簡単に組立てが出来、組立て後は外れ難い梱包装置を提供すること目的とする。
【０００６】
【課題を解決するための手段】
上記目的を達成するため、請求項１の発明は、中央部から上端に向って形成された第一の切り欠き部と、この第一の切り欠き部の下方に形成された第二の切り欠き部とを備えた複数の仕切り板を互いの切り欠き部が組合わされる状態で縦横に組合わせることにより、物品を収納する為の格子状空間を形成する梱包装置であって、前記第一の切り欠き部には、上端の一方に面取りを有する突起部を備え、他方の上端を円弧形状に形成し、前記第二の切り欠き部には、前記第一の切り欠き部の前記円弧形状側に面取りを形成したことを特徴とする。
【０００７】
この構造では、上端の一方に面取りを有する突起部を備え、他方の上端に円弧形状を備えているため、組み込み口が広くなり簡単に互いに組合わせることができる。さらに、前記第二の切り欠き部には、前記第一の切り欠き部の前記円弧形状側に面取りを形成しているため前記突起部と組合わせし易くなり仕切り板同士が外れなくなるという効果を有するものである。
【０００８】
請求項２の発明は、第一のフラップに形成された差込用のスリットに第二のフラップの先端を差込んで両フラップを固定する様にした梱包装置であって、前記第一のフラップの先端部には、前記差込用のスリットに交わるように、この差込用スリットより短いスリットが形成されており、前記第二のフラップの先端部には、前記差込用のスリットの一端部に係止する位置に一部が円弧形状で形成された抜け防止用の切り欠きが形成されており、且つ、前記差込用のスリットの他端部の係止位置には角部が形成されていることを特徴とする。
【０００９】
この構造では、前記第一のフラップの先端部には、差込用のスリットに交わるように、このスリットより短いスリットが形成されているため、前記第二のフラップの先端部を前記差込用のスリットに差込みし易くなるという効果を有する。また、前記第二のフラップの先端部には、前記差込用のスリットの一端部に係止する位置に一部が円弧形状で形成された抜け防止用の切り欠きが形成されているため前記差込用のスリットの一端部に係止し易くなり、外れ難いという効果を有する。
【００１０】
【発明の実施の形態】
以下に、本発明の実施の形態を図面を参照して説明する。
【００１１】
図１乃至図６は本発明の第一の実施の形態であり、図１（ａ）は梱包箱本体１の外観図であり、図１（ｂ）は梱包箱１に仕切り部材２を組み込んだ外観図であり、図２は前記梱包箱本体１の展開図を示している。
【００１２】
図１（ａ）において、梱包箱本体１は、上蓋３と、枠５，７，８，１０と底６と、フラップ１１，１２とから構成された箱体であり、図１（ｂ）に示す様に梱包箱本体１の内部には縦横に組合わさった仕切り部材２が収納される。
前記梱包箱本体１は図２に示す様な、一枚の段ボール、厚紙あるいは薄いプラスチック等からなり、前記上蓋３上方に折り曲げ線４ａを介して前記上蓋３を止めるための蓋フラップ３ａが形成され、前記上蓋３の下方に枠５、底６、枠７が夫々折り曲げ線４ｂ，４ｃ，４ｄを介して形成されている。また、前記底６と枠７の右側には枠８と、この枠８の下方に折畳み部９とが折り曲げ線４ｅを介して形成されている。同様に、前記底６と枠７の左側には枠１０と折畳み部９が折り曲げ線４ｆを介して形成されている。さらに、前記枠８、前記枠１０の上方には夫々前記フラップ１１、フラップ１２が形成されており、このフラップ１１、フラップ１２と前記上蓋３及び枠５との間にはスリット１３、スリット１４が形成されていて分離されている。
この図２で示す梱包箱本体１を夫々の折り曲げ線４ａ乃至４ｆで折り曲げることにより、図１に示す梱包箱本体１の形状に組立てられる。
【００１３】
図３（ａ）に示す様に、前記フラップ１１の先端部上側には抜け防止用の切り欠き１３が形成されており、この切り欠き１３の一辺は円弧形状１４となっている。また、前記フラップ１１の先端部の高さ方向の幅はフラップ１１の中心部の幅より短く形成されており、その為、前記切り欠き１３の右下側には角部１５が形成され、この角部１５は後述する如く、フラップ１１の先端をフラップ１２のスリット１６に挿入した際の位置決めの役目を果たす。
一方、前記フラップ１２の先端部には斜めに前記スリット１６が形成され、このスリット１６に交わるようにほぼ中央にはスリット１７が形成されている。
前記斜めに形成されたスリット１６の長さは前記フラップ１１の前記切り欠き１３の底辺と前記角部１５との長さにはぼ等しく形成されている。
【００１４】
前記フラップ１１と前記フラップ１２との組立ては、図３（ｂ）に示す様に前記フラップ１１の先端を前記フラップ１２の前記スリット１６の垂直方向から差込んだ後、図３（ｃ）に示す様に前記切り欠き１３と前記角部１５が前記スリット１６の両端に係止させるものである。この時、前記スリット１６の中央には前記スリット１７が形成されているので前記フラップ１１の先端を前記スリット１６に差込む時、前記スリット１６に前記スリット１７が交わっているため、前記スリット１７側の前記スリット１６の切り口が押し広げられて前記スリット１６のスリット幅が大きくなり、前記フラップ１１の先端が容易に差込まれることになる。然して、図２で示した梱包箱本体１を折り曲げ線４ａ乃至４ｆで折り曲げ最終的に前記フラップ１１と前記フラップ１２とを固定する事により前記梱包箱本体１が組み上がる。
【００１５】
図１（ｂ）で示した仕切り部材２は、図４（ａ）に示す様に、複数の仕切り１８板と仕切り板１９とを縦横に組合わせ、図４（ｂ）に示す様に、物品を収納する為の格子状空間２０を形成する。前記仕切り板１８と仕切り板１９とは夫々同形状に形成されているもので、その組合わせ部には図５（ａ）に示す様に中央部から上端に向って形成された切り欠き２１と、この切り欠き２１の下方に形成された切り欠き２２とが設けられており、前記切り欠き２１の先端には、上端の一方に面取り２３が形成された突起部２４が設けられ、上端の他方は円弧形状２５に形成されている。さらに、前記切り欠き２２には前記切り欠き２１の前記円弧形状２５側（図示右側）に面取２６が形成されている。
一方の前記仕切り板１８に対して、他方の仕切り板１９を逆向きにして組合わせると図５（ｂ）に示す様に前記仕切り板１９の前記切り欠き２１に前記仕切り板１８の前記切り欠き２１を互に交差するように組合わせて、前記切り欠き２１の底辺（図示せず）同士が当接する位置で前記仕切り板１９の前記突起部２４が前記仕切り板１８の前記切り欠き２２に係合する。それと同時に前記仕切り板１８の前記突起部２４も前記仕切り板１９の前記切り欠き２２に係合することになる。従って、前記切り欠き２１が互いに組合わさり、この切り欠き２１に形成された前記突起部２４が前記切り欠き２２に係止され前記仕切り板１８と前記仕切り板１９とは外れる事無く組立てられる。
さらに、前記仕切り板２１同士を組合わせる際、前記円弧形状２５が形成されているため、前記突起部２４が変形する事なく組合わさるため、より組立てが容易になる。
【００１６】
上記の構成において、図６（ａ）に示す様に、組立てられた前記仕切り部材２は矢印Ｘの方向に押す事により，図６（ｂ）示す様に、前記格子状空間２０の内角θ、θが小さくなり前記仕切り板１９と前記仕切り板１８の前記格子状空間２０が菱形に変形し結果的に潰され畳む事が出来る。さらに、保管または輸送時にも前記突起部２４と前記切り欠き２２とが係止したまま潰されているため外れることがない。また、矢印Ｙの方向に押すことで容易に元に戻すことが出来る。
【００１７】
図７は本発明の第二の実施の形態であり、この実施の形態においては第一の実施の形態で説明した図５（ａ）の前記仕切り板１８、１９の前記切り欠き２１と２１との中間に破線で示す切り欠き２８を形成したものを用いる。この切り欠き２８を形成したことにより、さらに別形状の仕切り部材（図示せず）を前記格子状空間２０内に配置することが出来、物品の高さ方向及び水平方向の遊びを押さえる事が出来る。また、この第二の実施の形態では、図７（ａ）の円筒状部材２７は長方形の紙部材の一端に図３に示したスリット１６、スリット１７を形成し、他端に切り欠き１３、角部１５を形成したものを組立てて円筒状にしたものであり、前記円筒状部材２７を図７（ｂ）で示した仕切り部材２の格子状空間２０に配置し、前記切り欠き１３を前記切り欠き２８に係止させている。
この様な構成とすることにより、前記切り欠き１３と前記切り欠き２８とが組合わさっているため前記円筒状部材２７の高さ方向の位置が決まるとともに前記円筒状部材２７の回転による外れを防止できる。
【００１８】
尚、本発明は実施の形態例に限定されるものではなく、本発明の趣旨を逸脱しない範囲で適宜変更可能である。
【００１９】
【発明の効果】
以上、請求項１記載の発明によれば、上端の一方に面取りを有する突起部を備え、他方の上端に円弧形状を備えているため、組み込み口が広くなり簡単に互いに組合わせることができる。さらに、前記第二の切り欠き部には、前記第一の切り欠き部の前記円弧形状側に面取りを形成しているため前記突起部と組合わせし易くなり仕切り板同士が外れなくなるという効果を有する。
また、請求項２記載の発明によれば、第一のフラップの先端部には、差込用のスリットに交わるように、このスリットより短いスリットが形成されているため、第二のフラップの先端部を前記差込用のスリットに差込みし易くなる。更に、前記第二のフラップの先端部には、前記差込用のスリットの一端部に係止する位置に一部が円弧形状で形成された抜け防止用の切り欠きが形成されているため前記差込用のスリットの一端部に係止し易くなり、外れ難いという効果を有する。
【図面の簡単な説明】
【図１】（ａ）及び（ｂ）はこの発明の第一の実施の形態の梱包箱の外観図である。
【図２】第一の実施の形態の梱包箱の展開図である。
【図３】（ａ）〜（ｃ）は第一の実施の形態の梱包箱のフラップ部における組み付け手順を示す拡大図である。
【図４】（ａ）及び（ｂ）は第一の実施の形態の仕切り部材における組み付け手順を示す斜視図である。
【図５】（ａ）及び（ｂ）は第一の実施の形態の仕切り部材およびそれらの連結状態を示す拡大図である。
【図６】（ａ）は第一の実施の形態の仕切り部材の潰した状態の斜視図であり、（ｂ）はそのときの格子の様子を示す図である。
【図７】第二の実施の形態の斜視図であり、（ａ）は円筒状部材を、（ｂ）は円筒形状部材を仕切り部材の格子状空間に配置した図である。
【符号の説明】
１            梱包箱本体
２            仕切り部材
１１、１２    フラップ
１３          切り欠き
１４、２５    円弧形状
１５          角部
１６、１７    スリット
１８          仕切り
１９          仕切り
２０          格子状空間
２１、２２    切り欠き
２３、２６    面取り
２４          突起部
２７          円筒状部材
２８          切り欠き
【図１】
2004299772.tif 000003
【図２】
2004299772.tif 000004
【図３】
2004299772.tif 000005
【図４】
2004299772.tif 000006
【図５】
2004299772.tif 000007
【図６】
2004299772.tif 000008
【図７】
2004299772.tif 000009